(57)【要約】【課題】視角差により生じる表示画面の色味変化を、画質劣化を招くことなく表示画面の全体にわたり解消することのできる光学機能フィルムを備えた液晶表示装置およびこれに用いる光学機能フィルムを提供する【解決手段】液晶セルと偏光板とが表示画面側でこの順に配置された液晶表示装置１００であって、表示画面側に配設され、液晶セルおよび偏光板を通過した出射光に対する表示画面側の画面周辺部における光散乱度を、画面中央部における光散乱度よりも高くする光学機能フィルム２９を備えた。【選択図】図３
2009015066.tif 000002
【特許請求の範囲】
【請求項１】
液晶セルと偏光板とが表示画面側でこの順に配置された液晶表示装置であって、
前記表示画面側に配設され、前記液晶セルおよび前記偏光板を通過した出射光に対する前記表示画面側の画面周辺部における光散乱度を、画面中央部における光散乱度よりも高くする光学機能フィルムを備えた液晶表示装置。
【請求項２】
請求項１記載の液晶表示装置であって、
前記液晶セルがＴＮ型液晶であり、
前記光学機能フィルムは、少なくとも前記表示画面の水平方向両端側の光散乱度が前記画面中央部の光散乱度より高いものである液晶表示装置。
【請求項３】
請求項２記載の液晶表示装置であって、
前記光学機能フィルムは、前記表示画面側の画面周辺部で光散乱度を高く設定する領域が、前記表示画面の水平方向長さに対して１２．５％以下の幅を有してそれぞれ配置されたものである液晶表示装置。
【請求項４】
請求項２または請求項３記載の液晶表示装置であって、
前記光学機能フィルムは、前記表示画面の垂直方向両端側に前記光散乱度を高く設定する領域がそれぞれ配置されたものである液晶表示装置。
【請求項５】
請求項１記載の液晶表示装置であって、
前記液晶セルがＶＡ型液晶であり、
前記光学機能フィルムは、少なくとも前記表示画面の四隅の光散乱度を前記画面中央部の光散乱度より高くする機能を有する液晶表示装置。
【請求項６】
請求項１〜請求項５のいずれか1項記載の液晶表示装置であって、
前記光学機能フィルムが、前記表示画面の略全面を覆う面積を有する一枚のフィルムである液晶表示装置。
【請求項７】
請求項１〜請求項５のいずれか1項記載の液晶表示装置であって、
前記光学機能フィルムが、前記表示画面の前記光散乱度を高く設定する領域を局所的に覆うブロック状のフィルムである液晶表示装置。
【請求項８】
請求項１〜請求項７のいずれか1項記載の液晶表示装置であって、
前記光学機能フィルムの前記光散乱度を高く設定する領域に対するヘイズ値が、６５％以上である液晶表示装置。
【請求項９】
請求項１〜請求項８のいずれか１項記載の液晶表示装置であって、
前記光学機能フィルムが、透光性樹脂を主成分として形成されるとともに、前記光散乱度を高く設定する領域は前記透光性樹脂中に微小粒径の散乱体が分散されてなる液晶表示装置。
【請求項１０】
液晶セルと偏光板とが表示画面側でこの順に配置された液晶表示装置に対し、該液晶表示装置の表示面側に貼着するための四角形状の光学機能フィルムであって、
透光性樹脂からなり、前記四角形状の周辺部における光散乱度が、前記四角形状の中央部における光散乱度よりも高く設定された光学機能フィルム。
【請求項１１】
請求項１０記載の光学機能フィルムであって、
前記光散乱度を高く設定する領域に対するヘイズ値が６５％以上である光学機能フィルム。
【請求項１２】
請求項１０または請求項１１記載の光学機能フィルムであって、
前記光散乱度を高く設定する領域が、前記四角形状の長辺方向の両端部における該長辺の１２．５％以下の長さの領域である光学機能フィルム。
【発明の詳細な説明】
【技術分野】
【０００１】
本発明は、液晶表示装置およびこれに用いる光学機能フィルムに関し、特に液晶表示特性による画質劣化を改善する技術に関する。
【背景技術】
【０００２】
液晶表示装置は、一般的に液晶セル、直線偏光板、光学補償フィルム及び駆動回路により構成されている。透過型の液晶表示装置の場合は、２枚の偏光板をクロスニコル状態で液晶セルの両側に配置し、１枚又は複数枚の光学補償フィルムを液晶セルと偏光板との間に配置している。また、反射型の液晶表示装置の場合は、反射板、液晶セル、１枚の光学補償フィルム、１枚の偏光板の順に配置している。偏光板は透明保護膜と偏光膜とからなり、偏光板の透明保護膜を光学補償フィルムとした楕円偏光板とすることもある。液晶セルは、棒状液晶性分子と、それを封入するための２枚の基板と、棒状液晶性分子に電圧を加えるための電極層とからなる。
【０００３】
液晶セルについては、棒状液晶性分子の配向状態が違う様々な種類のものが存在している。すなわち、透過型の液晶セルについては、ＴＮ（Twisted Nematic）、ＩＰＳ（In-Plane Switching）、ＦＬＣ（Ferroelectric Liquid Crystal）、ＯＣＢ（Optically Compensatory Band）、ＳＴＮ（Super Twisted Nematic）、ＶＡ（Vertically Aligned）、ＥＣＢ（Electrically Controlled Birefringence）があり、反射型の液晶セルについては、ＴＮ、ＨＡＮ（Hybrid Aligned Nematic）、ＧＨ（Guest-Host）のような形式（表示モード）のものが提案されている。
【０００４】
透過型の液晶表示装置の場合、液晶セルの上下の偏光板のうち、バックライト側の偏光板は光源からの光を一部吸収し、液晶セルに入射する光を直線偏光に変換する。出射側の偏光板は液晶セルを通過した光のうち、透過軸に平行な偏光成分を通過させ、吸収軸方向の偏光成分を吸収する。光学補償フィルムは、不要な画像着色を解消し、視野角を拡大するために、偏光板と液晶セルとの間に配置される。光学補償フィルムとしては、延伸複屈折ポリマーフィルムをはじめとして、透明支持体上に円盤状化合物、又は液晶性分子から形成された光学異方性層を有する光学補償フィルムが一般に使用されている。光学補償フィルムの光学的性質は、液晶セルの光学的性質、具体的には上記のような表示モードの違いに応じて決定され、様々な表示モードに対応した様々な特性のフィルムが提案されている。
上記のような液晶表示装置については、従来より様々な光学機能フィルムが提案されている。例えば、特許文献１においては、光学機能フィルムとなる光拡散層がその面内で均一な散乱特性を有するようにされ、視野角を拡大している。
【特許文献１】特開平１０−１０４６１１号公報
【発明の開示】
【発明が解決しようとする課題】
【０００５】
表示画面中央位置と周辺位置とでは観察者の視角の差が生じるため、観察者が見る表示画像には、表示画面の位置に応じてそれぞれ異なった色味を生じることがある。つまり、液晶表示装置は、表示画面の観察方向によって表示特性が変化する異方性の光出射特性を有しており、視角差に応じて表示画面の色味が表示画面の場所によって変化する。例えば、ＴＮ型液晶においては、黒表示を行った場合に表示画面の水平方向両端に色味変化が出ることがある。また、ＶＡ型液晶においては、黒表示を行った場合に表示画面の四隅の色味が変化することがある。このような表示画面の色味の変化は、面内で均一な散乱特性を有する光学機能フィルムを貼り付けることで色味変化は緩和されるが、液晶表示装置の表示画面の正面方向に対するＣＲ値（白表示時の輝度と黒表示時の輝度の比）が落ちてしまう欠点があった。
【０００６】
本発明は上記状況に鑑みてなされたもので、視角差により生じる表示画面の色味変化を、正面方向に対するＣＲ値劣化を招くことなく表示画面の全体にわたり解消することのできる光学機能フィルムを備えた液晶表示装置およびこれに用いる光学機能フィルムを提供することを目的としている。
【課題を解決するための手段】
【０００７】
本発明の上記目的は、下記構成により達成される。
（１）  液晶セルと偏光板とが表示画面側でこの順に配置された液晶表示装置であって、
前記表示画面側に配設され、前記液晶セルおよび前記偏光板を通過した出射光に対する前記表示画面側の画面周辺部における光散乱度を、画面中央部における光散乱度よりも高くする光学機能フィルムを備えた液晶表示装置。
【０００８】
この液晶表示装置によれば、光学機能フィルムを表示画面に設けることで、視角差により色味が付いて見える表示画面の局所領域に対して、選択的にヘイズ値の高い高散乱領域が配置される。これにより、色味変化が発生する部位に対してのみ高散乱領域による光散乱作用によって色味変化を緩和し、色味変化が生じない部位に対しては散乱作用を抑えることで表示品質の低下を抑制できる。したがって、表示画面の中央位置と周辺位置とで異なる視角差となる場合でも、双方が共に色味変化と画質劣化が少ない画像表示が行えるようになる。
【０００９】
（２）  （１）記載の液晶表示装置であって、
前記液晶セルがＴＮ型液晶であり、
前記光学機能フィルムは、少なくとも前記表示画面の水平方向両端側の光散乱度が前記画面中央部の光散乱度より高いものである液晶表示装置。
【００１０】
この液晶表示装置によれば、ＴＮ型液晶において生じやすい水平方向両端の色味変化を低減できる。
【００１１】
（３）  （２）記載の液晶表示装置であって、
前記光学機能フィルムは、前記表示画面側の画面周辺部で光散乱度を高く設定する領域が、前記表示画面の水平方向長さに対して１２．５％以下の幅を有してそれぞれ配置されたものである液晶表示装置。
【００１２】
この液晶表示装置によれば、光散乱度を高く設定する領域を表示画面の水平方向長さに対して所定の幅に設定することで、高い光散乱度が必要とされる領域と光散乱度が低くて構わない領域とを区別して光学機能フィルムを配置できる。
【００１３】
（４）  （２）または（３）記載の液晶表示装置であって、
前記光学機能フィルムは、前記表示画面の垂直方向両端側に前記光散乱度を高く設定する領域がそれぞれ配置されたものである液晶表示装置。
【００１４】
この液晶表示装置によれば、表示画面の垂直方向両端側に色味付きが発生する場合に、この色味付きを低減することができる。
【００１５】
（５）  （１）記載の液晶表示装置であって、
前記液晶セルがＶＡ型液晶であり、
前記光学機能フィルムは、少なくとも前記表示画面の四隅の光散乱度を前記画面中央部の光散乱度より高くする機能を有する液晶表示装置。
【００１６】
この液晶表示装置によれば、ＶＡ型液晶において生じやすい表示画面四隅の色味変化を低減できる。
【００１７】
（６）  （１）〜（５）のいずれか1項記載の液晶表示装置であって、
前記光学機能フィルムが、前記表示画面の略全面を覆う面積を有する一枚のフィルムである液晶表示装置。
【００１８】
この液晶表示装置によれば、一枚の光学機能フィルムを表示画面に貼り合わせることで、高い光散乱度の領域を簡単に位置合わせできる。
【００１９】
（７）  （１）〜（５）のいずれか1項記載の液晶表示装置であって、
前記光学機能フィルムが、前記表示画面の前記光散乱度を高く設定する領域を局所的に覆うブロック状のフィルムである液晶表示装置。
【００２０】
この液晶表示装置によれば、表示画面への貼り付け工程が単純になり、表示画面の面積が大きい場合でも、光学機能フィルムに皺が寄ったり、貼り直しをした跡が残る等、表示画面が乱れることがない。また、必要な場所に必要なだけ光学機能フィルムを設けるため、材料に無駄が無い。
【００２１】
（８）  （１）〜（７）のいずれか1項記載の液晶表示装置であって、
前記光学機能フィルムの前記光散乱度を高く設定する領域に対するヘイズ値が、６５％以上である液晶表示装置。
【００２２】
この液晶表示装置によれば、色味を軽減するために十分な光拡散効果が得られる。
【００２３】
（９）  （１）〜（８）のいずれか１項記載の液晶表示装置であって、
前記光学機能フィルムが、透光性樹脂を主成分として形成されるとともに、前記光散乱度を高く設定する領域に対しては前記透光性樹脂上に微小粒径の散乱体が塗布されている液晶表示装置。
【００２４】
この液晶表示装置によれば、光散乱度を高くする領域を、微小粒径の散乱体を分散させて形成することで、所望のヘイズ値を安定して得ることができる。
【００２５】
（１０）  液晶セルと偏光板とが表示画面側でこの順に配置された液晶表示装置に対し、該液晶表示装置の表示面側に貼着するための四角形状の光学機能フィルムであって、
透光性樹脂からなり、前記四角形状の周辺部における光散乱度が、前記四角形状の中央部における光散乱度よりも高く設定された光学機能フィルム。
【００２６】
この光学機能フィルムによれば、液晶表示装置の表示面側に貼着することで、視角差による色味の発生が抑えられる。
【００２７】
（１１）  （１０）記載の光学機能フィルムであって、
前記光散乱度を高く設定する領域に対するヘイズ値が６５％以上である光学機能フィルム。
【００２８】
この光学機能フィルムによれば、色味を軽減するために十分な光拡散効果が得られる。
【００２９】
（１２）  （１０）または（１１）記載の光学機能フィルムであって、
前記光散乱度を高く設定する領域が、前記四角形状の長辺方向の両端部における該長辺の１２．５％以下の長さの領域である光学機能フィルム。
【００３０】
この光学機能フィルムによれば、光散乱度を高く設定する領域を予め所定の領域に設定することで、この光学機能フィルムを液晶表示装置の表示画面に貼着した際に、この光散乱度の高い領域が意図された位置に配置されるようになる。これにより、視角差による色味付きをより確実に低減できる。
【発明の効果】
【００３１】
本発明の液晶表示装置およびこれに用いる光学機能フィルムによれば、視角差により色味が付いて見える表示画面の局所領域に対して、選択的にヘイズ値の高い高散乱領域が配置されるため、色味変化が発生する部位に対してのみ高散乱領域による光散乱作用によって色味変化が緩和され、色味変化が生じない部位に対しては散乱作用を抑えることで表示品質の低下を抑制できる。その結果、表示画面の中央位置と周辺位置とで異なる視角差となる場合でも、双方の位置で共に色味変化と画質劣化の少ない画像表示が可能になる。
【発明を実施するための最良の形態】
【００３２】
以下、本発明に係る液晶表示装置およびこれに用いる光学機能フィルムの好適な実施の形態について、図面を参照して詳細に説明する。
図１は本発明に係る液晶表示装置の一構成例を示す概略断面図である。
図示する液晶表示装置１００は、例えば液晶テレビやコンピュータ表示用の液晶ディスプレイ等として構成され、液晶セルを有する液晶パネル１１と、この液晶パネル１１の背面側（図１において下方側）に配置されたバックライトユニット１３とを有している。
液晶パネル１１は、液晶層を挟んで対向する一対の透明基板からなる液晶セル１５と、液晶セル１５の両外面側に各々配置された色補償用の一対の位相差板１７ａ，１７ｂと、さらに外面側にそれぞれ配置された偏光板１９ａ，１９ｂとを備えている。図示せずとも、液晶セル１５の内面側あるいは外面側には、カラーフィルタ、透明電極膜、配向膜（透明基板の内面側）が形成されている。
【００３３】
バックライトユニット１３は、複数本の線状光源（蛍光管）あるいは複数のＬＥＤ（Light Emitting Diode）素子を配置した光源ユニット２１、この光源ユニット２１の光出射側に配置された拡散板２３、拡散シート２５、輝度向上のためのプリズムシート２７を備えている。なお、バックライトユニットは図示した直下型のものに限らず、導光板の側面に光源を配置したエッジライト型で構成されてもよい。
【００３４】
拡散板２３、拡散シート２５は、光源ユニット２１から出射した光を拡散させて、前方のプリズムシート２７側へ出射する拡散層として構成されている。これらの拡散板２３，拡散シート２５は、液晶パネル１１側から見たときの個々の光源の輝線を消し、バックライトユニット１３の上面から光を均一出射させる機能を有している。
【００３５】
プリズムシート２７は、拡散シート１３から拡散出射された光源光を、所定の角度分布をもたせて液晶パネル１１側へ出射する機能を有している。
【００３６】
そして、バックライトユニット１３から出射され、液晶パネル１１を透過した光は、液晶パネル１１の表示画面側に配設された光学機能フィルム２９を通して出射される。なお、本発明に係る光学機能フィルム２９の配置位置は、図示例に限らず、例えば、偏光板１９ａの光出射側の面にさらに他の層が設けられた外側面に配置することであってもよく、偏光板１９ａの外側であれば任意に配置することができる。
【００３７】
なお、ここでは、液晶層の背面側から光を透過させる透過型の液晶表示装置１００を例示しているが、これに限らず、液晶層の表示面側または側面側から光を供給して反射させて表示させる光反射型の液晶表示装置であっても構わない。いずれの場合も、液晶セルと偏光板とが表示画面側でこの順に配置された構成となっている。
【００３８】
次に、この光学機能フィルム２９について詳細に説明する。
光学機能フィルム２９は、四角形状の透光性樹脂からなるフィルムであり、四角形状の周辺部における光散乱度が、四角形状の中央部における光散乱度よりも高く設定されている。
【００３９】
図２は光学機能フィルムを液晶パネルに貼着する様子を示す概念的な説明図である。
本実施形態における光学機能フィルム２９は、四角形状の長辺方向の両端部における領域３１が光散乱度の高い高散乱領域とされている。高散乱領域に対する光散乱度は、ヘイズ値で６５％以上とされている。また、高散乱領域３１の幅はそれぞれ、光学機能フィルム２９の長辺の１２．５％以下の長さの領域とされている。光学機能フィルム２９は、一枚で液晶パネル１１の表示画面３０全体を覆うように配設される。
【００４０】
ここで、図３、図４を用いて、高散乱領域３１を上記の長さに設定することの意義を説明する。
図３は液晶表示装置１００の表示画面と観察位置との関係を（ａ）に、その観察位置における光散乱度の高い領域の配置場所を（ｂ）に示す説明図である。
図３（ａ）に示すように、液晶表示装置１００の表示画面の垂直方向高さをＨとすると、コンピュータ用のモニタであれば、表示画面から１．５〜２．０Ｈの距離を離れた位置から見ることが考えられる。テレビ画像であれば、一般的にはさらに遠方から観察するが、視聴環境や視聴内容により観察距離が通常よりも近づき表示画面から１．５〜２．０Ｈの距離からの観察も考えられる。このため、観察位置を１．５Ｈの距離に固定した場合、本実施形態の液晶表示装置１００においては、幅Ｗの表示画面の水平方向端部が、画面法線から３０°の角度であったとする。
【００４１】
図４に画面中心における法線からの画面端への視覚変化に対する色味の付き具合を表すグラフを示した。このグラフには、光学機能フィルムの有無（光散乱効果の有無）に対する色味の変化を示している。
縦軸のΔu',v'は、色味変化成分を表すパラメータであり、具体的には、基準装置として「シンテック（株）」製のＬＣＤマスターを用い、黒色表示時あるいは白色表示時の色味をｕ'ｖ' 色度図上の値として算出し、画面中央位置の正面からの観察値との差分を求めたものである。なお、ＣＩＥ１９３１ｘｙ色度図からｕ'ｖ'色度図への変換は次式により行うことができる。
ｕ'＝４ｘ／（−２ｘ＋１２ｙ＋３）
ｖ'＝９ｙ／（−２ｘ＋１２ｙ＋３）
【００４２】
具体的には、Ｒ、Ｇ、Ｂ各色の電極への印加電圧を一定として、表示画面の法線方向から表示画面端に向けて角度が変化していく視角差に対して、正面からの色味変化を測定する。例えば、視角が０°である場合の光学機能フィルム無しの状態（光散乱効果無し）を基準としたとき、本発明の光学機能フィルム有りの状態では基準に対するΔｕ'ｖ'は０であり、視角６０°の場合は、光学機能フィルム無しの状態ではΔｕ'ｖ' が０．１６であり、光学機能フィルム有りの状態では０．０６であった。
【００４３】
すなわち、光学機能フィルムが無い場合は、視角の増加に従って色味成分が増大し、特に視角が２０°を超えると色味の増加が顕著となる。一方、光学機能フィルムが有る場合は、視角が２０°程度までの範囲で光学機能フィルムが無い場合よりも色味が若干出るが、視角が３０°を超えたときには色味の発生がむしろ小さく抑えられている。したがって、視角が小さい範囲（例えば０°〜２５°）の場合は光学機能フィルムが無い方がよく、視角が大きい範囲（例えば２５°以上）の場合は光学機能フィルムが有った方がよい。
【００４４】
そこで、本実施形態の光学機能フィルムは、視角に応じて光散乱効果を変更することで、全ての視角方向に対して色味付けが低減されるようにした。つまり、図３（ｂ）に示すように光学機能フィルム２９の水平方向両端部に対して、光学機能フィルムによる光散乱効果が必要とされる視角２５°以上の領域３１を高散乱領域とする。そして、視角２５°未満の領域は光散乱性の少ない透明状態する。高散乱領域３１の幅Ｗｓは、一般的に液晶表示装置１００に使用される光学機能フィルム２９のサイズ、縦横比の場合、表示画面長辺の長さの１２．５％以下の幅となる。また、光学機能フィルム２９のサイズは、小さい場合は色味の付くことが少なく、例えば１５インチサイズ（表示画面の対角線長さ：３８ｃｍ）以上、より効果が顕著に得られる２８インチサイズ（対角線長さ７１ｃｍ）以上、が好ましい。また、光学機能フィルム２９の縦横比は、１：１．５〜１：２、好ましくは１：１．６６〜１：１．８５がよい。
【００４５】
光学機能フィルム２９の高散乱領域３１は、透明樹脂材料からなるフィルム表面に光拡散用の透光性微粒子を塗布したものが考えられる。例えば以下の材料を用い高散乱領域を作製する。
「低屈折率層用塗布液」
下記組成物をミキシングタンクに投入し、攪拌して、その後、孔径１μｍのポリプロピレン製フィルターでろ過して、低屈折率層用塗布液を調製する。
（組成）
・オプスターＪＮ７２２８Ａ                  １００質量部
（熱架橋性含フッ素ポリマー組成液：ＪＳＲ(株)製）
・ＭＥＫ−ＳＴ                              ４．３質量部
（シリカ分散物 平均粒径１５ｎｍ：日産化学(株)製）
・ＭＥＫ−ＳＴの粒径違い品                  ５．１質量部
（シリカ分散物 平均粒径４５ｎｍ：日産化学(株)製）
・ゾル液ａ                                  ２．２質量部
・メチルエチルケトン（ＭＥＫ）                １５質量部
・シクロヘキサノン                          ３．６質量部
「ハードコート層用塗布液」
【００４６】
下記組成物をミキシングタンクに投入し、攪拌してハードコート層塗布液とする。
（組成）
・デソライトＺ７４０４ １００質量部
（ジルコニア微粒子含有ハードコート組成液：ＪＳＲ(株)製）
・ＤＰＨＡ                                    ３１質量部
（ＵＶ硬化性樹脂：日本化薬(株)製）
・ＫＢＭ−５１０３                            １０質量部
（シランカップリング剤：信越化学工業(株)製）
・ＫＥ−Ｐ１５０                            ８．９質量部
（１．５μｍシリカ粒子：日本触媒(株)製）
・ＭＸＳ−３００                            ３．４質量部
（３．０μｍ架橋ＰＭＭＡ粒子：綜研化学(株)製）
・メチルエチルケトン（ＭＥＫ）                ２９質量部
・メチルイソブチルケトン（ＭＩＢＫ）          １３質量部
【００４７】
「支持体」
厚さ８０μｍのセルローストリアセテートフィルム（ＴＤ８０Ｕ、富士フイルム(株)製）
上記支持体上に、上記ハードコート層用塗布液を塗工、溶剤乾燥後、紫外線を照射して塗布層を硬化させ、ハードコート層を形成する。上記ハードコート層上に上記低屈折率層用塗布液を塗布し、乾燥後、紫外線照射により低屈折率層を形成し、高散乱領域を形成する。
【００４８】
光学機能フィルム２９のハードコート層の厚みは０．１から１００μｍ、好ましくは、１．０〜２５μｍである。支持層の厚みは上記例に限定されない。
【００４９】
高散乱領域３１のヘイズ値は６５％以上が好ましいが、表示画面のサイズや表示輝度などの諸条件によっては、２０％〜１００％の範囲であっても上記効果を得ることができる。
【００５０】
以上説明したように、本実施形態の液晶表示装置１００によれば、光学機能フィルム２９を表示画面に設けることで、視角差により色味が付いて見える表示画面の局所領域に対して、選択的にヘイズ値の高い高散乱領域が配置される。これにより、色味変化が発生する部位に対してのみ高散乱領域による光散乱作用によって色味変化を緩和し、色味変化が生じない部位に対しては散乱作用を抑えることで表示品質の低下を抑制できる。したがって、表示画面の中央位置と周辺位置とで異なる視角差となる場合でも、双方が共に色味変化と画質劣化が少ない画像表示が行えるようになる。
【００５１】
なお、本実施形態における光学機能フィルム２９の高散乱領域３１は、水平方向両端の幅Ｗｓの間でヘイズ値を一定にしていたが、液晶パネル１１の外観が光学機能フィルム２９の高散乱領域３１の境界線が目立つ場合には、その境界部分を連続的にヘイズ値を変化させるようにしてもよい。
例えば、図５に高散乱領域の境界付近のヘイズ値のグラフを示すように、境界位置前後のヘイズ値を漸増あるいは漸減させることで、高散乱領域３１の境界が表示画面上で視覚的に認識されなくなり、表示画面外観の品質を向上できる。
【００５２】
また、図６に示すように、光学機能フィルム２９Ａのヘイズ値を高散乱領域３１はそのまま、光学機能フィルム２９Ａの中央に向けてグラデーションを形成するようにしてもよい。この場合は、ヘイズ値の連続性が広い範囲にわたって保たれ、より自然な表示画面となる。
【００５３】
次に、本発明に係る液晶表示装置の第２の実施形態について説明する。
本実施形態においては、光学機能フィルムを表示画面の略全面を覆う面積でなく、光散乱度の高いブロック状のフィルムとしている。
図７にブロック状とした光学機能フィルムを液晶パネルに貼着する様子を示す概念的な説明図を示した。
【００５４】
本実施形態では、光学機能フィルム３５をブロック状（ここでは帯状）に形成して、この帯状とされたフィルム全体が高散乱領域となるヘイズ値が６５％以上にされている。この光学機能フィルム３５は、表示画面の領域３０の水平方向両端に配設されている。これにより、特にＴＮ型液晶においては水平方向両端の色味変化を低減できる。
【００５５】
また、帯状の光学機能フィルム３５であることにより、表示画面への貼り付け工程が単純になる。表示画面の面積が大きい場合でも、フィルムに皺が寄りにくく、貼り直しをすることも無くなる。したがって、皺が残存したり、貼り直した跡が残る等、表示画面が乱れることがない。また、必要な場所に必要なだけ光学機能フィルム３５を配設するため、材料に無駄が無く、しかも簡単な工程で色味付きを軽減することができる。
【００５６】
さらに、図８（ａ）に示すように、液晶表示装置１００の表示画面の水平方向両端の他に、垂直方向両端にも光学機能フィルム３５を配設することで、画面周辺部を全周にわたって高散乱領域を形成した構成としてもよい。この構成によれば、ＴＮ型液晶における黒表示時の水平方向両端の色味変化を緩和するとともに、黒表示時における上側等が青味付く場合に、これを緩和でき、表示品質を一層向上させることができる。
【００５７】
したがって、図８（ｂ）に示すように、表示画面の水平方向の極角θｘ、垂直方向の極角θｙのいずれの方向に対しても、共に高散乱領域が形成されるため、表示画面の周辺部、および中央部の双方に対して色味変化の発生を最小限に抑えることができる。
【００５８】
以上のように、本発明に係る液晶表示装置は、液晶表示装置特有の表示特性である局所的な色味付きに対して、光学機能フィルムの高散乱領域を選択的に表示画面に配置させることで、表示画像を劣化させることなく色味付きを低減できる。
このような効果について、上記実施形態においてはＴＮ型液晶を例に説明したが、本発明はＴＮ型液晶に限らず、他の種類の液晶に対しても適用できる。例えば、ＶＡ型液晶では黒表示を行ったときに画面四隅に色味変化が生じることがある。このＶＡ型液晶に対して適用する場合、光学機能フィルムを、表示画面の角部となる四隅の光散乱度を画面中央部の光散乱度より高くする機能を持たせることで、前述同様に色味変化を低減することができる。
【００５９】
図９は、ＶＡ型液晶用の光学機能フィルムとしての、一枚のフィルム（ａ）と、ブロック状のフィルム（ｂ）とを示す説明図である。
図９（ａ）に示すように、この光学機能フィルム３７は、表示画面の略全面を覆う面積を有する一枚のフィルムであって、表示画面の角部となる四隅の光散乱度を画面中央部の光散乱度より高くなるように、高散乱領域３９を四隅に形成している。高散乱領域３９は前述と同様に、ヘイズ値で６５％以上にされている。なお、高散乱領域３９以外の領域では光拡散性の少ないあるいは殆ど無い領域とされている。
【００６０】
一枚の光学機能フィルム３７の他に、図９（ｂ）に示すように、光学機能フィルムをブロック状に形成してもよい。表示画面３０の四隅の領域が覆われるように４つの高い光散乱度を有する光学機能フィルム４１を配置することで、簡単に色味変化を低減することができる。光学機能フィルム４１は図示例のような三角形状としてもよく、図９（ａ）に示す扇型としてもよい。
【００６１】
さらに他の種類の液晶を用いた場合であっても、色味付きを発生する領域に対して選択的に光学機能フィルムにより光散乱性を持たせることで、色味変化の発生部位に対してこの色味変化を低減できるとともに、その他、色味変化が生じない部分に対しては、不要に光拡散させることなく、表示画質の劣化を抑えることができる。
【００６２】
上記のように、光学機能フィルムは種々の形態をとることができるが、液晶表示装置に対して唯一のタイプが恒久的に設定される他にも、次のようにすることもできる。
例えば、図１０に示すように、水平方向両端の高散乱領域３１の幅を広めの幅Ｗｓ１としたもの（ａ）、狭めの幅Ｗｓ２としたもの（ｂ）、水平方向および垂直方向両端に高散乱領域３１を設けたもの（ｃ）等の各光学機能フィルムを予め用意しておき、液晶表示装置の設置場所や設定目的等の諸条件によって、ユーザが任意に選定するものとしてもよい。
【００６３】
また、光学機能フィルムを液晶パネルに貼り付ける接着剤を、剥離容易な材料（例えば粘着材等）とすることで、貼り剥がし自在にすることでもよい。その場合には、液晶表示装置の設置場所を変更した場合や、表示目的を変更した場合でも、光学機能フィルムを随時取り替えることができるため、色味付けの低減された高品位な画像表示が常に行えるようになる。
【産業上の利用可能性】
【００６４】
本発明に係る光学機能フィルムは、液晶表示装置に対して適用でき、視角差により生じる表示画面の色味変化を、画質劣化を招くことなく表示画面の全体にわたり解消することができる。つまり、色味変化が発生する部位に対してのみ高散乱領域による光散乱作用によって色味変化を緩和し、色味変化が生じない部位に対しては散乱作用を抑えることで表示品質の低下を抑制できる。したがって、表示画面の中央位置と周辺位置とで異なる視角差となる場合でも、双方が共に色味変化と画質劣化が少ない画像表示が行えるようにできる。
【図面の簡単な説明】
【００６５】
【図１】本発明に係る液晶表示装置の一構成例を示す概略断面図である。
【図２】光学機能フィルムを液晶パネルに貼着する様子を示す概念的な説明図である。
【図３】液晶表示装置の表示画面と観察位置との関係を（ａ）に、その観察位置における光散乱度の高い領域の配置場所を（ｂ）に示す説明図である。
【図４】画面法線からの角度（視角差）に対する色味の付き具合を表すグラフである。
【図５】高散乱領域の境界付近のヘイズ値のグラフである。
【図６】散乱度のグラデーションを形成した光学機能フィルムを示す図である。
【図７】ブロック状とした光学機能フィルムを液晶パネルに貼着する様子を示す概念的な説明図である。
【図８】液晶表示装置の画面周辺部を全周にわたって高散乱領域を形成した構成を示す説明図（ａ）（ｂ）である。
【図９】ＶＡ型液晶用の光学機能フィルムとしての、一枚のフィルム（ａ）と、ブロック状のフィルム（ｂ）とを示す説明図である。
【図１０】水平方向両端の高散乱領域の幅を広めの幅Ｗｓ１としたもの（ａ）、狭めの幅Ｗｓ２としたもの（ｂ）、水平方向および垂直方向両端に高散乱領域を設けたもの（ｃ）を示す各種光学機能フィルムを示す図である。
【符号の説明】
【００６６】
１１  液晶パネル
１３  バックライトユニット
１５  液晶セル
１７ａ，１７ｂ  位相差板
１９ａ，１９ｂ  偏光板
２１  光源ユニット
２３  拡散板
２５  拡散シート
２７  プリズムシート
２９  光学機能フィルム
３０  表示画面の領域
３１  高散乱領域
３５  高散乱光学機能フィルム
３７  光学機能フィルム
３９  高散乱領域
１００  液晶表示装置
【図１】
2009015066.tif 000003
【図２】
2009015066.tif 000004
【図３】
2009015066.tif 000005
【図４】
2009015066.tif 000006
【図５】
2009015066.tif 000007
【図６】
2009015066.tif 000008
【図７】
2009015066.tif 000009
【図８】
2009015066.tif 000010
【図９】
2009015066.tif 000011
【図１０】
2009015066.tif 000012